(57)【特許請求の範囲】
【請求項１】
上方に開口した点検口と、側部に形成され、排水が流入する流入口と、側部に形成され、排水が流出する第１流出口と、底部に形成され、排水が流出する第２流出口と、を有する略筒状のます本体と、
前記ます本体内において前記第２流出口を開閉自在に設けられ、前記第２流出口を閉鎖する第１切替位置と、前記第２流出口を開放する第２切替位置との間で位置変更が可能な蓋体と、
前記ます本体内に設けられ、前記蓋体が前記第２切替位置に配置されたとき、排水が前記第１流出口に流れることを塞き止める越流防止手段と、
を備え、
前記蓋体は、前記ます本体に対して離間することで前記第１切替位置と前記第２切替位置との間で位置変更して、前記ます本体内を流れる排水の流路を切り替える、排水ます。
【請求項２】
前記越流防止手段は、前記蓋体と一体に形成され、
前記蓋体が前記第２切替位置に配置されたとき、前記越流防止手段は前記第１流出口を塞ぐ位置に配置される、請求項１に記載された排水ます。
【請求項３】
前記越流防止手段は、前記蓋体が前記第２切替位置に配置されたときに、前記流入口と前記第１流出口との間に配置されるとともに、前記第１流出口に近づく方向に揺動可能に構成されている、請求項２に記載された排水ます。
【請求項４】
前記ます本体は、前記蓋体が前記第２切替位置に配置されて前記越流防止手段が揺動したとき、前記越流防止手段が前記第１流出口を塞ぐように前記蓋体を支持する支持部を備えた、請求項３に記載された排水ます。
【請求項５】
上方に開口した点検口と、側部に形成され、排水が流入する流入口と、側部に形成され、排水が流出する第１流出口と、底部に形成され、排水が流出する第２流出口と、を有する略筒状のます本体と、
前記ます本体内において前記第２流出口を開閉自在に設けられ、前記第２流出口を閉鎖する第１切替位置と、前記第２流出口を開放する第２切替位置との間で位置変更が可能な蓋体と、
前記ます本体内に設けられ、前記蓋体が前記第２切替位置に配置されたとき、排水が前記第１流出口に流れることを塞き止める越流防止手段と、
を備え、
前記越流防止手段は、前記蓋体と一体に形成され、
前記蓋体が前記第２切替位置に配置されたとき、前記越流防止手段は前記第１流出口を塞ぐ位置に配置され、
前記越流防止手段は、前記蓋体が前記第２切替位置に配置されたときに、前記流入口と前記第１流出口との間に配置されるとともに、前記第１流出口に近づく方向に揺動可能に構成され、
前記ます本体は、前記蓋体が前記第２切替位置に配置されて前記越流防止手段が揺動したとき、前記越流防止手段が前記第１流出口を塞ぐように前記蓋体を支持する支持部を備え、
前記支持部は、平面視において、前記第２流出口を挟んで互いに対向するように前記ます本体の内面に２つ設けられている、排水ます。
【請求項６】
上方に開口した点検口と、側部に形成され、排水が流入する流入口と、側部に形成され、排水が流出する第１流出口と、底部に形成され、排水が流出する第２流出口と、を有する略筒状のます本体と、
前記ます本体内において前記第２流出口を開閉自在に設けられ、前記第２流出口を閉鎖する第１切替位置と、前記第２流出口を開放する第２切替位置との間で位置変更が可能な蓋体と、
前記ます本体内に設けられ、前記蓋体が前記第２切替位置に配置されたとき、排水が前記第１流出口に流れることを塞き止める越流防止手段と、
を備え、
前記越流防止手段は、前記蓋体と一体に形成され、
前記蓋体が前記第２切替位置に配置されたとき、前記越流防止手段は前記第１流出口を塞ぐ位置に配置され、
前記越流防止手段は、前記蓋体が前記第２切替位置に配置されたときに、前記流入口と前記第１流出口との間に配置されるとともに、前記第１流出口に近づく方向に揺動可能に構成され、
前記ます本体は、
前記蓋体が前記第２切替位置に配置されて前記越流防止手段が揺動したとき、前記越流防止手段が前記第１流出口を塞ぐように前記蓋体を支持する支持部と、
前記流入口および前記第１流出口が形成され、上下方向に延びた縦筒状部と、
前記第２流出口が形成され、前記縦筒状部の底部から下方に向かって延びた流出筒状部と、
を有し、
前記越流防止手段は、前記蓋体の底部から下方に向かって延びており、
前記蓋体が前記第２切替位置に配置されたとき、前記越流防止手段の下部は、前記流出筒状部内に配置され、
前記越流防止手段が揺動したとき、前記越流防止手段の下部の一部は、前記流出筒状部の上縁部のうち前記第１流出口と繋がる上縁部に接触可能である、排水ます。
【請求項７】
前記支持部は、前記蓋体が前記第２切替位置に配置されて前記越流防止手段が揺動したとき、前記越流防止手段の先端が前記流出筒状部の上端よりも下方に位置するように前記蓋体を支持する、請求項６に記載された排水ます。
【請求項８】
前記蓋体は、前記第１切替位置に配置されたときに前記流入口と前記第１流出口とを繋ぐインバート部を備えた、請求項６または７に記載された排水ます。
【請求項９】
前記支持部は、下方に凹んだ円弧状の支持溝であり、
前記インバート部の流路方向の両端部は、前記蓋体が前記第２切替位置に配置されたときに前記支持溝に揺動可能に支持される、請求項８に記載された排水ます。
【請求項１０】
平面視において、前記２つの支持部は、前記第１流出口の中心軸を挟んで互いに対向するように設けられ、
前記越流防止手段は、板状に形成され、
平面視において、前記インバート部の流路方向と前記越流防止手段の厚み方向とは直交している、請求項９に記載された排水ます。
【請求項１１】
前記越流防止手段は、前記蓋体が前記第２切替位置に配置されたとき、前記第１流出口と向かい合うように配置される、請求項１０に記載された排水ます。
【請求項１２】
前記流出筒状部は、円筒形状であり、
前記越流防止手段は、下縁が曲がった半楕円形状である、請求項１０または１１に記載された排水ます。
【請求項１３】
前記蓋体が前記第２切替位置に配置されたときにおける前記越流防止手段の前記流入口側の面は、幅方向の中央に向かう程、厚み方向に向かって凹んだ形状を有している、請求項１２に記載された排水ます。
【請求項１４】
請求項１から１３までの何れか一つに記載された排水ますと、
上流端が排水設備に接続され、下流端が前記流入口に接続された流入管路と、
上流端が前記第１流出口に接続され、下流端が下水本管に接続された流出管路と、
前記第２流出口に接続された貯留槽と、
を備えた、排水システム。
【発明の詳細な説明】
【技術分野】
【０００１】
本発明は、排水ますおよびそれを備えた排水システムに関する。
【背景技術】
【０００２】
従来から、排水設備から下水本管に排水を排出する排水システムが知られている。排水設備としては、例えば、トイレ、風呂、または台所の流し台などが挙げられる。この種の排水システムは、排水設備と下水本管とを繋ぐ流出管路を備えている。排水設備から流出した排水は、流出管路を通じて下水本管へ排出される。
【０００３】
ところで、大規模な地震または津波などの災害が発生した場合、下水本管が破損するおそれがある。下水本管が破損してしまった場合、排水が下水本管から外部に漏れてしまうおそれがある。
【０００４】
特許文献１には、排水の流路を切り替えることが可能なソケットが開示されている。このソケットは、縦筒部と、上流側および下流側の通常時管路と、応急時管路と、閉鎖扉とを備えている。縦筒部は、上部に開口する有底筒状のものである。上流側および下流側の通常時管路は、縦筒部の側部に対向するように突設されている。応急時管路は、通常時管路よりも下方の位置において縦筒部から一方向に突設されている。閉鎖扉は、応急時管路を閉鎖するものである。例えば、上流側の通常時管路には排水設備が接続され、下流側の通常時管路には下水本管が接続される。応急時管路には、応急用の排水処理施設が接続される。このソケットでは、通常時、応急時管路は閉鎖扉によって閉鎖されている。このため、通常時、排水設備から流出した排水は、通常時管路を通じて下水本管に排出される。一方、災害時などの応急時では、閉鎖扉を引き上げることで、応急時管路は開放される。よって、応急時、排水設備から流出した排水は、縦筒部内を自然に落下して、応急時管路から応急用の排水処理施設に排出される。
【０００５】
また、特許文献２には、排水の流路を切り替えることが可能な管継手が開示されている。この管継手は、水平方向に延びた筒状の継手本体を備えている。継手本体の上流端には上流側の流出管路を介して排水設備が接続され、下流端には下流側の流出管路を介して下水本管が接続される。なお、継手本体は、流出管路に対して周方向に回転可能となっている。継手本体の側面には、開口が形成されている。この開口は、貯留槽の内部と連通している。継手本体の内面のうち、下流端と開口との間であって開口が形成されている側の内面には、突起が設けられている。通常時、管継手は、継手本体の開口が上方に向かって開口し、かつ、突起が下方に向かって突出するように配置されている。通常時、排水設備から継手本体内に流入した排水は、継手本体の下流端に向かって流れ、下水本管に排出される。一方、応急時では、継手本体を周方向に回転させ、継手本体の開口が下方に向かって開口し、かつ、突起が上方に向かって突出するように管継手を配置する。応急時、排水設備から継手本体内に流入した排水は、突起によって塞き止められることで継手本体の下流端に流れずに、継手本体の開口に向かって流れる。その後、排水は貯留槽に排出される。
【先行技術文献】
【特許文献】
【０００６】
【特許文献１】特開平７−３００８９７号公報
【特許文献２】特開２０１４−８０８５２号公報
【発明の概要】
【発明が解決しようとする課題】
【０００７】
しかしながら、特許文献１に記載されたソケットでは、応急時、閉鎖扉を引き上げることで応急時管路は開放されるが、下流側の通常時管路は開放されたままである。そのため、縦筒部の上流側の通常時管路から縦筒部内に排水が勢いよく流入した場合、その排水の一部が下流側の通常時管路に流れることがあった。
【０００８】
特許文献２に記載された管継手では、通常時には、突起が継手本体の下流端に流れる排水を塞き止めてはならないため、突起を十分長くすることができない。そのため、応急時、継手本体の上流端から継手本体内に排水が勢いよく流入した場合、その排水の一部が突起を乗り越えて、継手本体の下流端に流れることがあった。
【０００９】
本発明はかかる点に鑑みてなされたものであり、その目的は、第１流出口および第２流出口を備えた流路切替が可能な排水ますであって、第２流出口から排水が流出する際、第１流出口に排水が流れるのを防止することが可能な排水ますおよびそれを備えた排水システムを提供することである。
【課題を解決するための手段】
【００１０】
本発明に係る排水ますは、略筒状のます本体と、蓋体と、越流防止手段と、を備えている。前記ます本体は、上方に開口した点検口と、側部に形成され、排水が流入する流入口と、側部に形成され、排水が流出する第１流出口と、底部に形成され、排水が流出する第２流出口と、を有する。前記蓋体は、前記ます本体内において前記第２流出口を開閉自在に設けられ、前記第２流出口を閉鎖する第１切替位置と、前記第２流出口を開放する第２切替位置との間で位置変更が可能である。前記越流防止手段は、前記ます本体内に設けられ、前記蓋体が前記第２切替位置に配置されたとき、排水が前記第１流出口に流れることを塞き止める。
【００１１】
前記排水ますによれば、蓋体を第２切替位置に配置することによって、ます本体の第２流出口が開放されるとき、越流防止手段によって、ます本体内の排水が第１流出口に流れることが塞き止められる。このことによって、蓋体を第２切替位置に配置したとき、流入口からます本体内に排水が勢いよく流入した場合であっても、その排水が第１流出口に流れることを防止することができる。
【００１２】
前記排水ますによれば、蓋体で第２流出口を閉鎖したり開放したりするという簡単な構成で、ます本体内を流れる排水の流路を切り替えることができる。例えば、作業者は、点検口を通じて蓋体を操作することによって、第２流出口を開閉することができる。よって、作業者が排水の流路を容易に切り替えることができる。
【００１３】
本発明の好ましい他の一態様によれば、前記越流防止手段は、前記蓋体と一体に形成されている。前記蓋体が前記第２切替位置に配置されたとき、前記越流防止手段は前記第１流出口を塞ぐ位置に配置される。
【００１４】
上記態様によれば、越流防止手段と蓋体とが一体に形成されており、蓋体の位置を第１切替位置から第２切替位置に変更するだけで、第１流出口は越流防止手段によって塞がれる。蓋体の位置を変更する作業と越流防止手段の位置を変更する作業とを別々に行う必要がない。
【００１５】
本発明の好ましい他の一態様によれば、前記越流防止手段は、前記蓋体が前記第２切替位置に配置されたときに、前記流入口と前記第１流出口との間に配置されるとともに、前記第１流出口に近づく方向に揺動可能に構成されている。
【００１６】
上記態様によれば、蓋体が第２切替位置に配置されたとき、越流防止手段は流入口と第１流出口との間に配置されるので、流入口からます本体内に排水が勢いよく流入した場合、その排水は越流防止手段にぶつかる。越流防止手段は上述のように揺動可能に構成されているので、このとき、排水がぶつかった越流防止手段が第１流出口に近づく方向に移動することで、第１流出口を十分に塞ぐことができる。
【００１７】
本発明の好ましい他の一態様によれば、前記蓋体が前記第２切替位置に配置されて前記越流防止手段が揺動したとき、前記越流防止手段が前記第１流出口を塞ぐように前記蓋体を支持する支持部を備えている。
【００１８】
上記態様によれば、蓋体が第２切替位置に配置されて越流防止手段が揺動したとき、蓋体と共に越流防止手段が支持部に支持された状態で、越流防止手段が第１流出口を塞ぐことができる。よって、蓋体が第２切替位置に配置されたとき、第１流出口に排水が流れることを防止することができる。
【００１９】
本発明の好ましい他の一態様によれば、前記支持部は、平面視において、前記第２流出口を挟んで互いに対向するように前記縦筒状部の内面に２つ設けられている。
【００２０】
上記態様によれば、２つの支持部によって、蓋体を安定して支持することができる。
【００２１】
本発明の好ましい他の一態様によれば、前記ます本体は、前記流入口および前記第１流出口が形成され、上下方向に延びた縦筒状部と、前記第２流出口が形成され、前記縦筒状部の底部から下方に向かって延びた流出筒状部と、を有している。前記越流防止手段は、前記蓋体の底部から下方に向かって延びている。前記蓋体が前記第２切替位置に配置されたとき、前記越流防止手段の下部は、前記流出筒状部内に配置され、前記越流防止手段が揺動したとき、前記越流防止手段の下部の一部は、前記流出筒状部の上縁部のうち前記第１流出口と繋がる上縁部に接触可能である。
【００２２】
上記態様によれば、蓋体が第２切替位置に配置されたとき、流入口からます本体に流入した排水が越流防止手段にぶつかることで、越流防止手段は第１流出口に近づく方向へ揺動する。このとき、揺動した越流防止手段の下部の一部は、流出筒状部の上縁部のうち第１流出口と繋がる上縁部に接触する。このことによって、排水が第１流出口に流れることを防止することができると共に、流入口から第２流出口へ流れる排水の流路を確保することができる。
【００２３】
本発明の好ましい他の一態様によれば、前記支持部は、前記蓋体が前記第２切替位置に配置されて前記越流防止手段が揺動したとき、前記越流防止手段の先端が前記流出筒状部の上端よりも下方に位置するように前記蓋体を支持する。
【００２４】
上記態様によれば、蓋体が第２切替位置に配置されて越流防止手段が揺動したとき、蓋体と共に越流防止手段が支持部に支持された状態で、越流防止手段の先端が流出筒状部の上端よりも下方に位置している。よって、このとき、越流防止手段によって第１流出口を十分に塞ぐことができる。
【００２５】
本発明の好ましい他の一態様によれば、前記蓋体は、前記第１切替位置に配置されたときに前記流入口と前記第１流出口とを繋ぐインバート部を備えている。
【００２６】
上記態様によれば、蓋体が第１切替位置に配置されたとき、インバート部によって、流入口から第１流出口へ排水を円滑に流すことができる。よって、１つの部材（すなわち、互いに一体化された蓋体、越流防止手段、およびインバート部）で、蓋体が第１切替位置に配置されたときに流入口から第１流出口へ排水を円滑に導く流路を確保できるとともに、蓋体が第２切替位置に配置されたときに第１流出口を塞ぐことができる。したがって、部品点数を削減することができる。
【００２７】
本発明の好ましい他の一態様によれば、前記支持部は、下方に凹んだ円弧状の支持溝である。前記インバート部の流路方向の両端部は、前記蓋体が前記第２切替位置に配置されたときに前記支持溝に揺動可能に支持される。
【００２８】
上記態様によれば、蓋体を第２切替位置に配置するとき、仮に支持溝から多少ずれた位置にインバート部を配置しようとしても、インバート部は、円弧状の支持溝に沿って正しい配置位置に案内され易い。よって、インバート部が支持溝に対して多少ずれた位置に配置された場合であっても、インバート部を支持溝に正しく配置することができる。
【００２９】
本発明の好ましい他の一態様によれば、平面視において、前記２つの支持部は、前記第１流出口の中心軸を挟んで互いに対向するように設けられている。前記越流防止手段は、板状に形成されている。平面視において、前記インバート部の流路方向と前記越流防止手段の厚み方向とは直交している。
【００３０】
上記態様によれば、越流防止手段は板状であるため、越流防止手段の厚みを抑えることができる。よって、蓋体を第２切替位置に配置したとき、越流防止手段によって第１流出口に排水が流れることを塞き止めると共に、第２流出口へ流れる排水の流路を確保し易い。上記態様では、蓋体を第２切替位置に配置したとき、インバート部が支持部によって支持されている状態で、越流防止手段は、表面積が大きい面によって第１流出口を閉鎖することができる。よって、第１流出口をより確実に閉鎖することができる。
【００３１】
本発明の好ましい他の一態様によれば、前記越流防止手段は、前記蓋体が前記第２切替位置に配置されたとき、前記第１流出口と向かい合うように配置される。
【００３２】
上記態様によれば、蓋体を第２切替位置に配置したとき、越流防止手段は第１流出口と向かい合うように配置されているため、第１流出口をより確実に閉鎖することができる。
【００３３】
本発明の好ましい他の一態様によれば、前記流出筒状部は、円筒形状である。前記越流防止手段は、下縁が曲がった半楕円形状である。
【００３４】
例えば、越流防止手段が矩形状である場合、蓋体が第２切替位置に配置されて、越流防止手段が揺動したとき、越流防止手段の角のみが流出筒状部に接触する。このことによって、越流防止手段と流出筒状部との間に、第１流出口に繋がる大きな隙間が生じやすくなる。その大きな隙間から排水が第１流出口に流れるおそれがある。しかし、上記態様によれば、越流防止手段は半楕円形状であるため、越流防止手段と流出筒状部との接触面積を大きくすることができる。よって、越流防止手段が矩形状である場合と比較して、越流防止手段と流出筒状部との間に形成された隙間をなくす、または、小さくすることができる。よって、越流防止手段が矩形状である場合と比較して、蓋体が第２切替位置に配置されたとき、排水が第１流出口に流れることをより防止することができる。
【００３５】
本発明の好ましい他の一態様によれば、前記蓋体が前記第２切替位置に配置されたときにおける前記越流防止手段の前記流入口側の面は、幅方向の中央に向かう程、厚み方向に向かって凹んだ形状を有している。
【００３６】
上記態様によれば、越流防止手段の幅方向の中央部分の厚みを抑えることができる。よって、蓋体を第２切替位置に配置したとき、越流防止手段によって第１流出口を閉鎖しつつ、第２流出口へ流れる排水の流路を確保し易い。
【００３７】
本発明の排水システムは、上述した何れかの排水ますと、上流端が排水設備に接続され、下流端が前記流入口に接続された流入管路と、上流端が前記第１流出口に接続され、下流端が下水本管に接続された流出管路と、前記第２流出口に接続され、排水を貯留する貯留槽と、を備えている。
【００３８】
前記排水システムによれば、下水本管が破損した場合であっても、排水ますによって、ます本体内を流れる排水の流路を切り替えることで、排水設備から流入管路に流入する排水を、排水ますを通じて貯留槽に排出することができる。
【発明の効果】
【００３９】
本発明によれば、第１流出口および第２流出口を備えた流路切替が可能な排水ますであって、第２流出口から排水が流出する際、第１流出口に排水が流れるのを防止することが可能な排水ますおよびそれを備えた排水システムを提供することができる。
【図面の簡単な説明】
【００４０】
【図１】実施形態に係る排水システムの平面図である。
【図２】実施形態に係る排水システムの正面図である。
【図３】排水ますの平面図である。
【図４】排水ますの正面図である。
【図５】図３のＶ−Ｖ断面における排水ますの正面断面図である。
【図６】ます本体の平面図である。
【図７】ます本体の正面断面図である。
【図８】ます本体の右側面図である。
【図９】蓋体を第２切替位置に配置した状態における排水ますの平面図である。
【図１０】蓋体を第２切替位置に配置した状態における排水ますの正面断面図である。
【図１１】蓋体の平面図である。
【図１２】蓋体の正面図である。
【図１３】蓋体の側面図である。
【図１４】蓋体の底面図である。
【図１５】突出部が段差部に正しく載置されている状態を示す突出部および段差部の断面図である。
【図１６】突出部が段差部に正しく載置されていない状態を示す突出部および段差部の断面図である。
【図１７】蓋体がます本体に対して揺動した状態を示す図である。
【発明を実施するための形態】
【００４１】
以下、図面を参照しながら、本発明に係る排水ます、および、排水システムの実施形態について説明する。ここで説明される実施形態は、当然ながら特に本発明を限定することを意図したものではない。また、同じ作用を奏する部材・部位には同じ符号を付し、重複する説明は省略または簡略化する。
【００４２】
まず、本実施形態に係る排水システム１について説明する。図１は、本実施形態に係る排水システム１の平面図である。図２は、排水システム１の正面図である。図１に示すように、排水システム１は、排水が流れるシステムである。ここで、「排水」には、汚水および雨水が含まれる。「汚水」とは、トイレ、風呂、および、台所の流し台などから排出される水であり、そのままでは河川に放流させることができないものである。本実施形態では、トイレ、風呂、および台所の流し台などのように、汚水が排出される設備を排水設備５とする。「雨水」とは、降雨などの自然現象に起因する水であり、そのまま河川に放流させることができるものである。ここでは、排水システム１は、排水のうち排水設備５から流出する汚水が流れるシステムである。しかし、排水システム１は、雨水が流れるシステムであってもよい。この場合、例えば、排水設備５は、雨水が集約される側溝などに置換され、下水本管１５は、雨水本管などに置換される。図２に示すように、排水システム１は、地中に埋設されている。排水システム１は、排水管路１０と、排水の流路を切り替えることが可能な排水ます２０と、貯留槽７０とを備えている。
【００４３】
排水管路１０は、特に図示はしていないが、下流に向かって下方に傾斜している。図１に示すように、排水管路１０は、流入管路１１と、第１流出管路１２と、第２流出管路１３とを備えている。流入管路１１には、排水設備５から排出された汚水が流入する。流入管路１１の上流端は、排水設備５に接続されている。流入管路１１の下流端は、排水ます２０に接続されている。第１流出管路１２には、排水ます２０から流出した汚水が流入する。第１流出管路１２の上流端は、排水ます２０に接続されている。第１流出管路１２の下流端は、汚水を汚水処理場（図示せず）などに導く下水本管１５に接続されている。なお、第１流出管路１２は、本発明の「流出管路」に対応する。ここでは、第１流出管路１２の下流側には、公共ます１６が設けられている。公共ます１６は、排水ます２０と下水本管１５との間に設けられている。
【００４４】
第２流出管路１３には、排水ます２０から流出した汚水が流入する。第２流出管路１３の上流端は、排水ます２０に接続されている。第２流出管路１３の下流端は、汚水を一時的に貯留する貯留槽７０に接続されている。なお、「管路」とは、水を流通させる通路を意味する。「管路」は、一本の配管によって構成されていてもよいし、本実施形態のように、複数本の配管とそれら配管を接続する継手によって構成されていてもよい。
【００４５】
次に、本実施形態に係る排水ます２０について説明する。排水ます２０は、排水（本実施形態では、汚水）の流路を切り替えることが可能なますである。排水ます２０は、排水管路１０の途中箇所に設けられている。ここでは、排水ます２０は、流入管路１１の下流端と第１流出管路１２の上流端との間に設けられている。図３は、排水ます２０の平面図である。図４は、排水ます２０の正面図である。図５は、図３のＶ−Ｖ断面における排水ます２０の正面断面図である。なお、以下の図面において、符号Ｆ、Ｒｒ、ＬおよびＲは、それぞれ排水ます２０の前、後、左および右を表している。ただし、各方向は説明の便宜上定めたものであり、本発明を特に限定するものではない。図５に示すように、排水ます２０は、ます本体２１と、蓋体２６と、越流防止板５５とを備えている。
【００４６】
図６は、ます本体２１の平面図である。図７は、ます本体２１の正面断面図である。図８は、ます本体２１の右側面図である。図６から図８では、ます本体２１から蓋体２６を取り外した状態が示されている。図７に示すように、ます本体２１は、略筒状であり、内部に空間を有する形状である。本実施形態では、図４に示すように、ます本体２１は、縦筒状部２１ａと流入筒状部２１ｂと第１流出筒状部２１ｃと第２流出筒状部２１ｄとによって構成されている。縦筒状部２１ａは、上方に開口するように上下方向に延びている。流入筒状部２１ｂは、縦筒状部２１ａの側面から側方（図４では、左方）に延びるように設けられている。第１流出筒状部２１ｃは、流入筒状部２１ｂと向かい合うようにして、縦筒状部２１ａの側面から側方（図４では、右方）に延びるように設けられている。第２流出筒状部２１ｄは、縦筒状部２１ａの底面の中央部分から下方に延びるように設けられている。なお、本実施形態では、第２流出筒状部２１ｄは、本発明の「流出筒状部」に対応する。図７に示すように、ます本体２１には、点検口３１、流入口３２、第１流出口３３および第２流出口３４が形成されている。
【００４７】
点検口３１は、ます本体２１の上部において、上方に向かって開口している。本実施形態では、点検口３１は、ます本体２１の縦筒状部２１ａの上端に形成されている。点検口３１は、作業者がます本体２１の内部に破損または詰まりなどがないかのメンテナンスを行う部位である。点検口３１は、流入口３２、第１流出口３３および第２流出口３４よりも大きく開口している。言い換えると、点検口３１の内径は、流入口３２の内径、第１流出口３３の内径および第２流出口３４の内径よりも長い。そのため、作業者は、点検口３１を通じて、ます本体２１の内部のメンテナンスを容易に行うことができる。図２に示すように、点検口３１には、点検筒１７が接続されている。ここでは、点検筒１７の上端が地面と略同じ高さに配置されるように、排水ます２０は地中に埋設されている。なお、点検筒１７の上端には、蓋１８が配置されている。通常時、点検筒１７は、蓋１８によって閉じられている。
【００４８】
図７に示すように、流入口３２は、ます本体２１の側部に設けられている。流入口３２は、側方に向かって開口している。本実施形態では、流入口３２は、ます本体２１の流入筒状部２１ｂの端面に形成されている。流入口３２には、排水設備５から排出された汚水が流入する。図１に示すように、流入口３２には、流入管路１１の下流端が接続される。なお、流入口３２には、流入管路１１の一部をなす配管が直接接続されるが、流入口３２に上記配管が他の部材などを介して間接的に接続されていてもよい。ここでは、流入口３２は、配管が挿入される受口であるが、配管に挿入される差口であってもよい。
【００４９】
図８に示すように、第１流出口３３は、ます本体２１の側部に設けられている。図７に示すように、第１流出口３３は、側方に向かって開口している。ここでは、第１流出口３３は、流入口３２の反対側に配置されている。第１流出口３３は、流入口３２と対向している。ただし、第１流出口３３の配置位置は特に限定されない。本実施形態では、第１流出口３３は、ます本体２１の第１流出筒状部２１ｃの端面に形成されている。第１流出口３２からます本体２１内を流れる汚水が流出する。図１に示すように、第１流出口３３には、第１流出管路１２の上流端が接続される。第１流出口３３には、第１流出管路１２の一部をなす配管が直接接続されていてもよく、上記配管が他の部材を介して間接的に接続されていてもよい。ここでは、第１流出口３３は受口であるが、差口であってもよい。
【００５０】
図７に示すように、第２流出口３４は、ます本体２１の底部に設けられている。第２流出口３４は、下方に向かって開口している。本実施形態では、第２流出口３４は、ます本体２１の第２流出筒状部２１ｄの端面に形成されている。図６に示すように、第２流出口３４は、ます本体２１の底部の中央部分に設けられている。第２流出口３４は、平面視において、点検口３１内の中央部分に設けられている。第２流出口３４は、平面視において、流入口３２と第１流出口３３との間に設けられている。図７に示すように、第２流出口３４は、流入口３２および第１流出口３３よりも低い位置に設けられている。ここでは、第２流出口３４の内径は、流入口３２の内径および第１流出口３３の内径と同じである。しかし、第２流出口３４の内径は、流入口３２の内径および第１流出口３３の内径より大きくてもよいし、小さくてもよい。第２流出口３４の形状は、真円形状である。しかし、第２流出口３４の形状は特に限定されず、惰円形状であってもよい。この場合、第２流出口３４の長軸の方向は、流入口３２の中心軸Ｌ３２の方向と平行であるとよい。このことによって、第２流出口３４が開放されているとき、流入口３２からます本体２１に流入した汚水が第２流入口３４を乗り越えて第１流出口３３へ流れにくくなる。第２流出口３４からます本体２１内を流れる汚水が流出する。図２に示すように、第２流出口３４には、第２流出管路１３の上流端が接続される。第２流出口３４には、第２流出管路１３を介して貯留槽７０が接続されている。ただし、第２流出口３４には、貯留槽７０が直接接続されていてもよい。この場合、第２流出管路１３は省略することができる。また、この場合、排水ます２０は、貯留槽７０の上に載置される。ここでは、第２流出口３４は受口であるが、差口であってもよい。なお、排水ます２０は、貯留槽７０の内部に配置されていてもよい。この場合、貯留槽７０の上部の開口部分に、排水ます２０の点検口３１が配置されていてもよい。このことによって、排水ます２０および貯留槽７０の配置スペースが小さくなるため、コンパクトに配置することができる。
【００５１】
図７に示すように、ます本体２１において、縦筒状部２１ａと第２流出筒状部２１ｄとの接続部分のうち流入口３２側の接続部分には、傾斜部２２が設けられている。傾斜部２２は、第２流出口３４に向かうに連れて傾斜が急になっている。傾斜部２２は、ます本体２１の内部に向かって凸となるように湾曲している。なお、ます本体２１において、縦筒状部２１ａと第２流出筒状部２１ｄとの接続部分のうち第１流出口３３側の接続部分（第２流出筒状部２１ｄの上縁部）２３には、傾斜部２２のような傾斜は設けられていない。ここでは、接続部分２３は、直角になっている。
【００５２】
ここでは、図６に示すように、平面視において、ます本体２１の内面であって、第２流出口３４の前方および後方には、互いに対向するように傾斜面４０が設けられている。図８に示すように、傾斜面４０は、側面視において、第２流出口３４に向かうにしたがって下方に傾斜している。このことによって、傾斜面４０に汚水が乗り上げた場合、乗り上げた汚水を、傾斜面４０に沿って、ます本体２１の底に流すことができる。よって、傾斜面４０に汚水が溜まることを防ぐことができる。
【００５３】
図６に示すように、排水ます２０は、段差部４１と、支持溝４２と、確認部４３を備えている。段差部４１は、蓋体２６を後述する第１切替位置Ａ（図３参照）に配置したとき、蓋体２６を支持する部位である。段差部４１が蓋体２６を支持することの詳しい説明は、後述する。段差部４１は、平面視において、ます本体２１の内面であって、第２流出口３４の前方および後方に互いに対向するように設けられている。段差部４１は、平面視において、流入口３２の中心軸Ｌ３２（なお、本実施形態では、中心軸Ｌ３２は第１流出口３３の中心軸Ｌ３３と一致する）を挟んで互いに対向するようにます本体２１の側部に２つ設けられている。段差部４１は、平面視において、流入口３２の軸方向（または、第１流出口３３の軸方向）において、点検口３１内の中央部分に設けられている。ここでは、段差部４１は、平面視において、傾斜面４０よりも第２流出口３４側に設けられている。図７に示すように、段差部４１は、点検口３１の中心軸Ｌ３１に向かうにしたがって下方に傾斜する面４１ａを有している。図６に示すように、段差部４１は、円弧状の形状を有している。
【００５４】
支持溝４２は、蓋体２６を後述する第２切替位置Ｂ（図９参照）に配置したとき、蓋体２６を支持する部位である。支持溝４２が蓋体２６を支持することの詳しい説明は、後述する。支持溝４２は、平面視において、第２流出口３４を挟んで互いに対向するように、ます本体２１の縦筒状部２１ａの内面に２つ設けられている。支持溝４２は、第２流出口３４の前方および後方に設けられている。平面視において、２つの支持溝４２は、第１流出口３３の中心軸Ｌ３３を挟んで互いに対向するように設けられている。ここでは、支持溝４２は、段差部４１内に設けられている。支持溝４２は、平面視において、傾斜面４０よりも第２流出口３４側に設けられている。図７に示すように、支持溝４２は、正面視において、段差部４１よりも下方（詳しくは、真下）に設けられている。図６に示すように、支持溝４２は、平面視において、流入口３２の軸方向Ｌ３２（または、第１流出口３３の軸方向Ｌ３３）において、ます本体２１の中央部分に設けられている。図７に示すように、支持溝４２は、下方に凹んだ円弧状の溝である。ただし、支持溝４２の形状は特に限定されない。支持溝４２の表面には、複数の突起４５が設けられている。ここでは、各支持溝４２につき、５つの突起４５が設けられているが、突起４５の数は特に限定されない。複数の突起４５は、互いが等間隔になるように支持溝４２の表面に配置されているが、その間隔は特に限定されない。例えば、複数の突起４５の互いの間隔は、平面視において、支持溝４２の中央に近づくにしたがって狭くなってもよい。なお、本実施形態では、支持溝４２が本発明の「支持部」に対応する。
【００５５】
図３に示すように、確認部４３は、蓋体２６が第１切替位置Ａに配置されたとき、蓋体２６が段差部４１に正しく配置されているか否かを確認するための部材である。図６に示すように、確認部４３は、平面視において、ます本体２１の内面であって、第２流出口３４の前方および後方に設けられている。確認部４３は、第２流出口３４を挟んで互いに対向している。ここでは、確認部４３は、段差部４１よりも外方であって、傾斜面４０の中央部分に配置されている。確認部４３の一部は、傾斜面４０から段差部４１に突出している。確認部４３は、板状である。確認部４３は、弾性部材によって形成されているとよく、ここでは、ゴム製である。確認部４３は、ます本体２１の他の部位とは異なる色彩であるとよい。例えば、確認部４３は、黄色で彩られていてもよい。
【００５６】
次に、蓋体２６について説明する。図３に示すように、蓋体２６は、ます本体２１内に着脱可能に設けられており、ます本体２１に対して着脱することでます本体２１を流れる汚水の流路を切り替える部材である。図９は、蓋体２６を第２切替位置Ｂに配置した状態を示しており、排水ます２０の平面図である。図１０は、蓋体２６を第２切替位置Ｂに配置した状態を示しており、排水ます２０の正面断面図である。なお、図３から図５は、蓋体２６を第１切替位置Ａに配置した状態を示している。蓋体２６は、ます本体２１内において、第１切替位置Ａ（図３参照）と第２切替位置Ｂ（図９参照）との間で位置変更が可能なものである。図５に示すように、第１切替位置Ａは、ます本体２１内に設けられた状態で、流入口３２から流入した汚水が第１流出口３３に流れるように流入口３２と第１流出口３３とを連通させる位置である。図１０に示すように、第２切替位置Ｂは、ます本体２１内に設けられた状態で、流入口３２から流入した汚水が第２流出口３４に流れるように流入口３２と第２流出口３４とを連通させる位置である。ここでは、蓋体２６は、ます本体２１の第２流出口３４を開閉自在に設けられている。図５に示すように、蓋体２６は、第１切替位置Ａに配置されたときに第２流出口３４を閉鎖する。このとき、図３に示すように、蓋体２６は、平面視において、点検口３１内の中央部分に配置されている。一方、図１０に示すように、蓋体２６は、第２切替位置Ｂに配置されたときに第２流出口３４を開放する。このとき、図９に示すように、蓋体２６は、平面視において、点検口３１内の中央部分に配置されている。すなわち、ます本体２１内を流れる汚水の流路が切り替わる前後において、蓋体２６は、平面視において、点検口３１内の中央部分に配置されている。
【００５７】
図１１は、蓋体２６の平面図である。図１２は、蓋体２６の正面図である。図１３は、蓋体２６の側面図である。図１４は、蓋体２６の底面図である。なお、図１１から図１４において、符号Ｆ、Ｒｒ、Ｌ、Ｒは、第１切替位置Ａにおける蓋体２６の方向を示している。図１２に示すように、蓋体２６は、インバート部５１と、突出部５２と、把持部５３と、嵌合凸部５４と、を備えている。
【００５８】
図５に示すように、蓋体２６を第１切替位置Ａに配置したとき、インバート部５１は、流入口３２からます本体２１に流入した汚水を第１流出口３３へ流す流路となる部位である。蓋体２６が第１切替位置Ａに配置されたとき、インバート部５１は、流入口３２と第１流出口３３とを繋ぐ。図１３に示すように、インバート部５１は、流入口３２の底面および第１流出口３３の底面と滑らかに連続するように、略Ｕの字状に形成されている。インバート部５１は、流入口３２と第１流出口３３との間の溝である。ここでは、図１１に示すように、インバート部５１は、真っ直ぐな溝である。しかし、インバート部５１は、一部が湾曲した溝であってもよい。蓋体２６を第２切替位置Ｂに配置したとき、インバート部５１の端部５１ａは、ます本体２１の支持溝４２に配置される。そのため、インバート部５１の端部５１ａの外周面は、支持溝４２に対応する形状であるとよい。ここでは、インバート部５１の外周形状は、円弧形状である。
【００５９】
図３に示すように、突出部５２は、蓋体２６が第１切替位置Ａに配置されたとき、段差部４１によって支持される部位である。図１１に示すように、突出部５２は、インバート部５１の側部から外方に突出している。詳しくは、図１３に示すように、突出部５２は、インバート部５１の前部および後部の上端から外方に突出するように、インバート部５１に設けられている。図３に示すように、突出部５２は、ます本体２１の段差部４１に合致する形状を有している。ただし、突出部５２は、段差部４１に合致する形状でなくてもよく、この場合、段差部４１よりも小さいことが好ましい。ここでは、突出部５２は、板状であり、円弧状の形状を有している。
【００６０】
図１１に示すように、把持部５３は、作業者が蓋体２６の位置を切り替える際に使用する部位であり、把持可能なものである。把持部５３は、インバート部５１を跨ぐように配置されている。把持部５３は、インバート部５１の流路方向Ｌ５１（図１４参照）において、インバート部５１の中央部分に設けられている。把持部５３の形状は特に限定されない。ここでは、図１３に示すように、把持部５３は、インバート部５１の２つの上端を架け渡すような形状を有している。把持部５３は、インバート部５１と一体であってもよいし、別体であってもよい。ここでは、図１１に示すように、インバート部５１の両端部５１ａには、補強部材５３ａが設けられている。補強部材５３ａは、インバート部５１の右上端部同士、および、インバート部５１の左上端部同士を架け渡すように設けられている。この補強部材５３ａによって、インバート部５１を変形しにくくすることができる。なお、補強部材５３ａは、把持可能であるため、把持部５３と同様に、作業者が蓋体２６の位置を切り替える際に使用する部位として使用されてもよい。
【００６１】
図５に示すように、嵌合凸部５４は、蓋体２６を第１切替位置Ａに配置したとき、第２流出口３４を閉塞する部位である。ここでは、嵌合凸部５４は、ます本体２１の第２流出筒状部２１ｄに嵌合可能な部位である。図１４に示すように、嵌合凸部５４は略円筒状である。本実施形態では、図１３に示すように、嵌合凸部５４の外周面には、ゴム製のシール部材５４ａが設けられている。このシール部材５４ａによって、第２流出筒状部２１ｄと嵌合凸部５４との間のシールが図られている。
【００６２】
図１０に示すように、越流防止板５５は、ます本体２１内に設けられ、蓋体２６が第２切替位置Ｂに配置されたとき、汚水が第１流出口３３に流れることを塞き止めるものである。詳しくは、越流防止板５５は、蓋体２６を第２切替位置Ｂに配置したとき、流入口３２からます本体２１内に流入した汚水が、第２流出口３４を超えて、第１流出口３３に流れることを防止する部位である。図１２に示すように、越流防止板５５は、平板状の部材で形成されている。越流防止板５５は、下部に向かう程、幅が短くなっている。ここでは、越流防止板５５の形状は、下縁が曲がった半楕円形状である。図１４に示すように、越流防止板５５のうち、蓋体２６が第２切替位置Ｂに配置されたときにおける越流防止板５５の流入口３２側の面（図１４では、前面）は、幅方向（図１４の上下方向）の中央に向かう程、厚み方向Ｌ５５に向かって凹んだ形状を有している。ここでは、越流防止板５５のうち、蓋体２１が第２切替位置Ｂに配置されたときにおける越流防止板５５の第１流出口３３側の面（図１４では、後面）も、幅方向の中央に向かう程、厚み方向Ｌ５５に向かって凹んだ形状を有している。言い換えると、底面視において、越流防止板５５は、幅方向の中央に向かうに連れて厚みが薄くなっている。
【００６３】
図１２に示すように、越流防止板５５は、蓋体２６と一体に形成されている。ここでは、越流防止板５５は、蓋体２６のインバート部５１の底部から下方に延びるように設けられている。図１４に示すように、底面視において、越流防止板５５は、インバート５１の中央部分であって、嵌合凸部５４の中央部分に設けられている。越流防止板５５は、嵌合凸部５４に囲まれるようにして配置されている。ここでは、底面視において、越流防止板５５の厚み方向Ｌ５５は、インバート部５１の流路方向Ｌ５１と直交している。越流防止板５５の幅方向とインバート部５１における汚水の流路方向Ｌ５１とが同一の方向になるように、越流防止板５５は蓋体２６のインバート部５１に設けられている。越流防止板５５とインバート部５１とは、一体的に形成されている。ただし、越流防止板５５とインバート部５１とは別体であって、越流防止板５５がインバート部５１に取り付けられていてもよい。なお、本実施形態において、越流防止板５５は、本発明の「越流防止手段」に対応している。
【００６４】
次に、蓋体２６を第１切替位置Ａおよび第２切替位置Ｂに配置したときの、蓋体２６とます本体２１との位置関係について詳しく説明する。図３に示すように、蓋体２６を第１切替位置Ａに配置したとき、蓋体２６の突出部５２は、ます本体２１の段差部４１に配置される。蓋体２６は、段差部４１によって支持されている。このとき、蓋体２６は、平面視において、点検口３１内の中央部分に配置されている。蓋体２６は、平面視において、点検口３１の中心点Ｌ３１と重なる位置に配置されている。ここでは、蓋体２６の中心軸Ｌ２６と点検口３１の中心軸Ｌ３１とは一致している。このとき、蓋体２６のインバート部５１は、流入口３２と第１流出口３３とを繋いでおり、汚水の流路となっている。インバート部５１の両端５１ａは、流入口３２の中心軸Ｌ３２（言い換えると、第１流出口３３の中心軸Ｌ３３）上に配置されている。図５に示すように、蓋体２６の嵌合凸部５４は、ます本体２１の第２流出筒状部２１ｄに嵌っている。そのため、蓋体２６が第１切替位置Ａに配置されたとき、蓋体２６は、ます本体２１に固定されており、揺動不能となっている。なお、このとき、越流防止板５５は、その面がます本体２１の前後方向に向くようにして配置されている。また、このとき、図４に示すように、越流防止板５５の下部は、ます本体２１の第２流出筒状部２１ｄ内に配置されている。越流防止板５５の下部は、第２流出口３４から下方へ突出している。
【００６５】
本実施形態では、上述したように、蓋体２６が第１切替位置Ａに配置されたとき、蓋体２６の突出部５２がます本体２１の段差部４１に正しく載置されているかを確認部４３によって確認することができる。図１５は、突出部５２が段差部４１に正しく載置されている状態を示す突出部５２および段差部４１の断面図である。図１６は、突出部５２が段差部４１に正しく載置されていない状態を示す突出部５２および段差部４１の断面図である。
【００６６】
図１５に示すように、蓋体２６の突出部５２が段差部４１に正しく載置されているとき、確認部４３の先端部分４３ａは、突出部５２の上方に位置している。この場合、図３に示すように、平面視において、確認部４３の先端部分４３ａを目視することができる。一方、図１６に示すように、突出部５２が段差部４１に正しく載置されておらず、段差部４１に対して多少ずれて載置されている場合、確認部４３が折れ曲がる。そのため、確認部４３の先端部分４３ａは、突出部５２と段差部４１との間に位置する。この場合、平面視において、確認部４３の先端部分４３ａを目視することができない。このように、本実施形態では、平面視において、確認部４３の先端部分４３ａが目視できるか否かによって、蓋体２６が第１切替位置Ａに正しく配置されているか否かを判別することができる。
【００６７】
図９に示すように、蓋体２６を第２切替位置Ｂに配置したとき、蓋体２６のインバート部５１の流路方向Ｌ５１（図１４参照）の端部５１ａが、ます本体２１の支持溝４２に載置され、かつ、揺動可能に支持されている。このとき、蓋体２６は、支持溝４２によって揺動可能に支持されている。図１０に示すように、蓋体２６が第２切替位置Ｂに配置されたとき、蓋体２６は、第１切替位置Ａ（図５参照）のときよりも高い位置に配置されている。このとき、第１切替位置Ａに配置されたときと同様に、蓋体２６は、図９に示すように、平面視において、点検口３１内の中央部分に配置されており、かつ、点検口３１の中心点Ｌ３１と重なる位置に配置されている。ここでは、蓋体２６の中心軸Ｌ２６と点検口３１の中心軸Ｌ３１とは一致している。このとき、インバート部５１の両端は、平面視において、流入口３２の中心軸Ｌ３２（言い換えると、第１流出口３３の中心軸Ｌ３３）と直交し、かつ、点検口３１の中心点Ｌ３１を通る直線Ｌ１上に配置されている。
【００６８】
このとき、図１０に示すように、越流防止板５５は、第１流出口３３と向かい合うように配置されている。具体的には、越流防止板５５は、越流防止板５５の厚み方向Ｌ５５（図１４参照）が第１流出口３３の軸方向Ｌ３３（言い換えると、流入口３２の軸方向Ｌ３２）と同一の方向となるように、越流防止板５５は、ます本体２１に配置されている。越流防止板５５は、その面がます本体２１の左右方向に向くようにして配置されている。蓋体２６の嵌合凸部５４は、ます本体２１の第２流出筒状部２１ｄよりも上方に位置しており、第２流出筒状部２１ｄには嵌っていない。ここでは、インバート部５１の端部５１ａが支持溝４２に載置されている状態のみで、蓋体２６がます本体２１に支持されている。蓋体２６は、ます本体２１の支持溝４２に対して揺動可能である。支持溝４２に沿って蓋体２６が揺動することで、越流防止板５５の位置および角度を変更することが可能である。ここでは、越流防止板５５は、蓋体２６が第２切替位置Ｂに配置されたとき、流入口３２と第１流出口３３との間に配置されている。そして、越流防止板５５は、第１流出口３３に近づく方向（言い換えると流入口３２から離れる方向）、および、第１流出口３３から離れる方向（言い換えると流入口３２へ近づく方向）へ揺動可能に構成されている。
【００６９】
図１７は、蓋体２６がます本体２１に対して揺動した状態を示す図である。蓋体２６が第２切替位置Ｂに配置された状態において、流入口３２からます本体２１内に汚水が流れてきた場合、その汚水は、第２流出口３４の上方において、蓋体２６の越流防止板５５にぶつかる。このとき、蓋体２６が第１流出口３３側へ回転する。そして、越流防止板５５の下部が、縦筒状部２１ａと第２流出筒状部２１ｄとの接続部分のうち第１流出筒状部２１ｃ側の接続部分２３（言い換えると、第２流出筒状部２１ｄの上縁部のうち第１流出口３３と繋がる上縁部２３）に接触する。ここでは、越流防止板５５の先端は、第２流出筒状部２１ｄの上端よりも下方に位置している。このことによって、越流防止板５５は、第１流出口３３を塞ぐ位置に配置される。第１流入口３３は、越流防止板５５によって塞がれる。なお、ここでいう第１流出口３３が越流防止板５５によって「塞がれる」状態には、第１流出口３３が越流防止板５５によって完全に塞がれている状態の他に、第１流出口３３の一部が越流防止板５５によって塞がれている状態も含まれる。このことによって、蓋体２６を第２切替位置Ｂに配置したとき、流入口３２からます本体２１内に流入した汚水が、第２流出口３４を超えて、第１流出口３３に流れることを防止することができる。
【００７０】
本実施形態では、蓋体２６が第２切替位置Ｂに配置されたとき、流入口３２からます本体２１内に流入した汚水が越流防止板５５にぶつかることによって、蓋体２６は、支持溝４２に対して揺動する。ここでは、越流防止板５５の下部が接続部分２３に接触したとき、蓋体２６のインバート部５１と支持溝４２との摩擦抵抗によって、越流防止板５５はその位置に維持するようになっている。言い換えると、排水ます２０は、越流防止板５５が第１流出口３３を閉塞した際、この閉塞状態を維持する維持機構を備えている。しかし、流入口３２からます本体２１内に汚水が流入しなくなる場合には、越流防止板５５における第２流出筒状部２１ｄの上縁部２３への接触は解除されてもよい。その後、越流防止板５５は、図１０に示すように、上下方向に延びた状態で配置されてもよい。このような構成の場合、越流防止板５５の下部には、錘が設けられてもよい。また、蓋体２６のインバート部５１と支持溝４２との間には、ベアリングのような機構を設けて、インバート部５１と支持溝４２との間の摩擦抵抗を小さくしてもよい。このことによって、越流防止板５５が第１流入口３３を閉塞している状態において、流入口３２からます本体２１内に汚水が流入しなくなる場合、越流防止板５は、図１０に示すように、上下方向に延びた状態で配置され易くなる。
【００７１】
貯留槽７０は、図２に示すように、貯留槽７０は、排水設備５から排出された汚水を貯留する槽である。貯留槽７０は、タンクによって構成されており、内部に密封された空間を有している。貯留槽７０の側面上部には、排水口７１が形成されている。排水口７１には、第２流出管路１３の下流端が接続されており、第２流出管路１３を介して排水ます２０の第２流出口３４が接続されている。
【００７２】
貯留槽７０の上面には、鉛直方向に円筒７８が突設されている。円筒７８は、上端が地面と略同一の高さとなるようにして、貯留槽７０の上面に設けられている。作業者は、円筒７８を通じて、貯留槽７０の内部を保守および点検することができる。なお、通常時において、円筒７８の上部は蓋７９によって閉塞されている。
【００７３】
次に、本実施形態に係る排水システム１および排水ます２０の利用方法について説明する。図１に示すように、排水システム１は、通常時には排水設備５から流出した汚水を下水本管１５に排出し、地震または津波などの災害が発生して、下水本管１５が破損したときには、排水ます２０内を流れる汚水の流路を切り替えて、排水設備５から流出する汚水を貯留槽７０へ排出するように用いられる。以下の説明では、通常時の利用態様を通常時モードといい、災害時の利用態様を災害時モードということとする。
【００７４】
通常時モードでは、図３に示すように、流入口３２と第１流出口３３とを連通させる第１切替位置Ａに、蓋体２６をます本体２１内に配置する。詳しくは、蓋体２６の嵌合凸部５４をます本体２１の第２流出筒状部２１ｄに嵌めると共に、蓋体２６の突出部５２をます本体２１の段差部４１に載置する。なお、越流防止板５５は、その面がます本体２１の前後方向に向くようにして配置されている。
【００７５】
通常時モードでは、図１に示すように、排水設備５から流出した汚水は、流入管路１１を流れた後、排水ます２０の流入口３２からます本体２１内に流入する。図３に示すように、ます本体２１内に流入した汚水は、蓋体２６のインバート部５１を通り、第１流出口３３からます本体２１の外へ流出する。このとき、図５に示すように、第２流出口３４は、蓋体２６によって閉塞されている。よって、ます本体２１内の汚水は、第２流出口３４には流れない。図２に示すように、第１流出口３３から流出した汚水は、第１流出管路１２を流れ、下水本管１５に排出される。下水本管１５に排出された汚水は、汚水処理場などに導かれ、浄化処理される。
【００７６】
災害時モードでは、第１切替位置Ａから、流入口３２と第２流出口３４とが連通する第２切替位置Ｂへ蓋体２６の位置を変更する。例えば、以下のようにして蓋体２６の位置を変更することができる。まず、作業者は、点検筒１７に被せられた蓋１８を取り外す。次に、図５に示すように、作業者は、蓋体２６の把持部５３を持って、蓋体２６を引き上げる。そして、図９に示すように、作業者は、蓋体２６のインバート部５１の端部５１ａがます本体２１の支持溝４２の上方に位置するように、蓋体２６を９０度回転させる。このときの回転の向きは右回りでもよいし、左回りでもよい。作業者は、インバート部５１の端部５１ａを支持溝４２に載置することによって、蓋体２６を第２切替位置Ｂに配置する。なお、このとき、越流防止板５５は、その面がます本体２１の左右方向に向くようにして配置されている。
【００７７】
災害時モードでは、図１に示すように、排水設備５から流出した汚水は、第１流出管路１１を流れた後、流入口３２からます本体２１内に流入する。図１７に示すように、ます本体２１内に流入した汚水が蓋体２６の越流防止板５５にぶつかることで、蓋体２６が第１流出口３３側へ回転する。そして、越流防止板５５の下部が、縦筒状部２１ａと第２流出筒状部２１ｄとの接続部分２３に接触する。このことによって、第１流出口３３は越流防止板５５によって閉塞される。よって、ます本体２１内の汚水は、ます本体２１の傾斜部２２に沿って、第２流出口３４に向かって流れ、第１流出口３３には流れない。その後、図２に示すように、汚水は、第２流出口３４からます本体２１の外へ流出する。第２流出口３４から流出した汚水は、第２流出管路１３を通じて貯留槽７０へ排出され、貯留槽７０に貯留される。貯留槽７０に貯留された汚水は、例えば、吸引ポンプによって吸い上げられる。この場合、作業者は、貯留槽７０の上面に設けられた円筒７８の上部を閉塞する蓋７９を取り外す。そして、円筒７８を介して、貯留槽７０に上記吸引ポンプを挿入する。そして、上記吸引ポンプによって、貯留槽７０に貯留された汚水を外部へ吸い上げる。
【００７８】
以上のように、本実施形態では、第１流出管路１２または下水本管１５が破損した場合であっても、排水ます２０によって汚水の流路を切り替えることで、排水設備５から流入管路１１に流入する汚水を、排水ます２０を通じて、第２流出管路１３から貯留槽７０に排出することができる。
【００７９】
本実施形態では、図１０に示すように、蓋体２６を第２切替位置Ｂに配置することによって、ます本体２１の流入口３２と第２流出口３４とが連通する。このとき、図１７に示すように、越流防止板５５によって、ます本体２１内の汚水が第１流出口３３に流れることを塞き止めている。このことによって、蓋体２６を第２切替位置Ｂに配置したとき、流入口３２からます本体２１内に汚水が勢いよく流入した場合であっても、その汚水が第１流出口３３に流れることを防止することができる。
【００８０】
蓋体２６を第２流出口３４に着脱することによって、蓋体２６で第２流出口３４を閉鎖したり開放したりすることができる。よって、蓋体２６で第２流出口３４を閉鎖したり開放したりするという簡単な構成で、ます本体２１内を流れる汚水の流路を切り替えることができる。本実施形態では、作業者は、点検口３１を通じて蓋体２６を操作することによって、第２流出口３４を開閉することができる。よって、作業者が汚水の流路を容易に切り替えることができる。
【００８１】
図１２および図１３に示すように、越流防止板５５は、蓋体２６と一体に形成されている。図１７に示すように、蓋体２６が第２切替位置Ｂに配置されたとき、越流防止板５５は、第１流出口３３を塞いでいる。このことによって、蓋体２６の位置を第１切替位置Ａから第２切替位置Ｂに変更するだけで、第１流出口３３は越流防止板５５によって塞がれる。よって、蓋体２６の位置を変更する作業と、越流防止板５５の位置を変更する作業とを別々に行う必要がない。
【００８２】
図３に示すように、蓋体２６は、第１切替位置Ａに配置されたとき、流入口３２と第１流出口３３とを繋ぐインバート部５１を備えている。このことによって、蓋体２６が第１切替位置Ａに配置されたとき、インバート部５１によって、流入口３２から第１流出口３３へ汚水を円滑に流すことができる。よって、１つの部材（すなわち、互いに一体化された蓋体２６、越流防止板５５、およびインバート部５１）で、蓋体２６が第１切替位置Ａに配置されたときに流入口３２から第１流出口３３へ汚水を円滑に導く流路を確保できるとともに、蓋体２６が第２切替位置Ｂに配置されたときに第１流出口３３を塞ぐことができる。したがって、部品点数を削減することができる。
【００８３】
図１０および図１７に示すように、越流防止板５５は、蓋体２６が第２切替位置Ｂに配置されたときに、流入口３２と第１流出口３３との間に配置されるとともに、第１流出口３３に近づく方向および第１流出口３３から離れる方向に揺動可能に構成されている。このことによって、図１７に示すように、蓋体２６が第２切替位置Ｂに配置されたとき、越流防止板５５は流入口３２と第１流出口３３との間に配置されるので、流入口３２からます本体２１内に汚水が勢いよく流入した場合、その汚水は越流防止板５５にぶつかる。越流防止板５５は揺動可能に構成されているので、このとき、汚水がぶつかった越流防止板５５が第１流出口３３に近づく方向に移動することで、第１流出口３３を十分に塞ぐことができる。蓋体２６が第２切替位置Ｂに配置されて、第１流出口３３からます本体２１内に汚水が逆流しようとする場合、その逆流しようとする汚水が越流防止板５５にぶつかる。このことによって、越流防止板５５が第１流出口３３から離れる方向に移動する。よって、第１流出口３３が開放されるため、逆流しようとする汚水を第２流出口３４へ円滑に流すことができる。したがって、第１流出口３３に接続された第１流出管路１２（図１参照）内に汚水が溜まることを防止することができる。
【００８４】
図１０に示すように、蓋体２６が第２切替位置Ｂに配置されたとき、越流防止板５５の下部は、ます本体２１の第２流出筒状部２１ｄ内に配置されている。そして、図１７に示すように、越流防止板５５の下端の中央部分は、越流防止板５５が揺動したとき、第２流出筒状部２１ｄの上縁部のうち第１流出口３３と繋がる上縁部２３に接触可能である。このことによって、蓋体２６が第２切替位置Ｂに配置されたとき、流入口３２からます本体２１に流入した汚水が越流防止板５５にぶつかることで、越流防止板５５は第１流出口３３に近づく方向へ揺動する。このとき、揺動した越流防止板５５の下端の中央部分は、ます本体２１の第２流出筒状部２１ｄの上縁部のうち第１流出口３３と繋がる上縁部２３に接触する。このことによって、汚水が第１流出口３３に流れることを防止することができると共に、流入口３２から第２流出口３４へ流れる汚水の流路を確保することができる。
【００８５】
図７に示すように、ます本体２１は、蓋体２６が第２切替位置Ｂ（図１７参照）に配置されて越流防止板５５が揺動したとき、越流防止板５５の先端が第２流出筒状部２１ｄの上端よりも下方に位置して、第１流出口３３を塞ぐように蓋体２６を支持する支持溝４２を備えている。このことによって、蓋体２６が第２切替位置Ｂに配置されて越流防止板５５が揺動したとき、蓋体２６と共に越流防止板５５が支持溝４２に支持された状態で、越流防止板５５の先端が第２流出筒状部２１ｄの上端よりも下方に位置している。よって、このとき、越流防止板５５によって第１流出口３３を十分に塞ぐことができる。
【００８６】
図６に示すように、支持溝４２は、平面視において、第２流出口３４を挟んで互いに対向するようにます本体２１の縦筒状部２１ａの内面に２つ設けられている。このことによって、２つの支持溝４２によって、蓋体２６を安定して支持することができる。
【００８７】
図７に示すように、支持溝４２は、下方に凹んだ円弧状の溝である。図９に示すように、蓋体２６のインバート部５１の流路方向Ｌ５１（図１４参照）の端部は、蓋体２６が第２切替位置Ｂに配置されたときに支持溝４２に支持されている。このことによって、蓋体２６を第２切替位置Ｂに配置するとき、仮に支持溝４２から多少ずれた位置にインバート部５１を配置しようとしても、インバート部５１は、円弧状の支持溝４２に沿って正しい配置位置に案内され易い。よって、インバート部５１が支持溝４２に対して多少ずれた位置に配置された場合であっても、インバート部５１を支持溝４２に正しく配置することができる。
【００８８】
図１３に示すように、越流防止板５５は板状に形成されている。このことによって、越流防止板５５の厚みを抑えることができる。よって、蓋体２６を第２切替位置Ｂに配置したとき、越流防止板５５によって第１流出口３３に汚水が流れることを塞き止めると共に、第２流出口３４へ流れる汚水の流路を確保し易い。
【００８９】
図６に示すように、平面視において、２つの支持溝４２は、第１流出口３３の中心軸Ｌ３３（言い換えると、流入口３２の中心軸Ｌ３２）を挟んでお互いが対向するように、ます本体２１の内面に設けられている。図１４に示すように、底面視において、インバート部５１の流路方向Ｌ５１と越流防止板５５の厚み方向Ｌ５５とは直交している。図１０に示すように、越流防止板５５は、蓋体２６が第２切替位置Ｂに配置されたとき、第１流出口３３と向かい合うように配置されている。詳しくは、蓋体２６が第２切替位置Ｂに配置されたとき、越流防止板５５は、平面視において、厚み方向Ｌ５５が第１流出口３３の軸方向Ｌ３３と同一の方向となるように、ます本体２１内に配置されている。本実施形態では、蓋体２６を第２切替位置Ｂに配置したとき、越流防止板５５の表面積が大きい面によって、第１流出口３３を閉鎖することができる。よって、蓋体２６を第２切替位置Ｂに配置したとき、第１流出口３３に汚水が流れることをより確実に塞き止めることができる。
【００９０】
本実施形態では、ます本体２１の第２流出筒状部２１ｄは、円筒形状である。図１２に示すように、越流防止板５５は、下縁が曲がった半楕円形状である。例えば、越流防止板５５が矩形状である場合、蓋体２６が第２切替位置Ｂに配置されて揺動したとき、越流防止板５５の角のみが第２流出筒状部２１ｄに接触する。このことによって、越流防止板５５と第２流出筒状部２１ｄとの間に、第１流出口３３に繋がる大きな隙間が生じやすくなる。その大きな隙間から汚水が第１流出口３３に流れるおそれがある。しかし、本実施形態では、越流防止板５５は半楕円形状であるため、越流防止板５５と第２流出筒状部２１ｄとの接触面積を大きくすることができる。よって、越流防止板５５が矩形状である場合と比較して、越流防止板５５と第２流出筒状部２１ｄとの間に形成された隙間をなくす、または、小さくすることができる。よって、越流防止板５５が矩形状である場合と比較して、蓋体２６が第２切替位置Ｂに配置されたとき、汚水が第１流出口３３に流れることをより防止することができる。
【００９１】
図１４に示すように、蓋体２６が第２切替位置Ｂに配置されたときにおける越流防止板５５の流入口３２側の面は、幅方向の中央に向かう程、厚み方向Ｌ５５に向かって凹んだ形状を有している。このことによって、越流防止板５５の幅方向の中央部分の厚みを抑えることができる。よって、蓋体２６を第２切替位置Ｂに配置したとき、越流防止板５５によって第１流出口３３を閉鎖しつつ、第２流出口３４へ流れる汚水の流路を確保し易い。
【００９２】
以上、本実施形態に係る排水システム１について説明した。しかし、本発明に係る排水システムは、本実施形態に係る排水システム１に限らず、他の種々の形態で実施することができる。
【００９３】
＜他の実施形態＞
上記実施形態では、第２流出口３４は、下方に開口するようにます本体２１の底部に設けられていた。しかし、第２流出口３４は、側方に開口するようにます本体２１の側部に設けられていてもよい。このとき、第２流出口３４は、第１流出口３３よりも下方に配置されているとよい。
【００９４】
上記実施形態では、本発明の越流防止手段は、平板状の越流防止板５５であった。しかし、本発明の越流防止手段は、平板状の部材に限定されない。例えば、越流防止手段の形状は、半楕円球のような形状であってもよい。
【００９５】
上記実施形態では、越流防止板５５の形状は、下縁が曲がった半楕円形状であった。しかし、越流防止板５５の形状は特に限定されず、例えば、下部が四角形状であってもよいし、台形形状であってもよい。また、越流防止板５５の周縁には、ゴムなどの可撓性を有する部材が設けられていてもよい。このことによって、蓋体２６が第２切替位置Ｂに配置された状態において、流入口３２からます本体２１内に汚水が流れてきた場合、越流防止板５５によって、その汚水が第１流出口３３に流れることを好適に防止することができる。
【００９６】
また、越流防止板５５は、途中部分が折れ曲がるような構成になっていてもよい。このことによって、蓋体２６が第２切替位置Ｂに配置された状態において、流入口３２からます本体２１内に汚水が流れてきた場合、越流防止板５５が第１流出口３３を閉塞し易い。
【００９７】
越流防止板５５の流入口３２側の表面には、窪みが設けられていてもよいし、リブなどのフランジが設けられていてもよい。このことによって、蓋体２６が第２切替位置Ｂに配置されて、越流防止板５５に汚水がぶつかった場合、汚水の流れの乱れが整えられ易くなるため、汚水が第２流出口３４に流れ易い。
【００９８】
上記実施形態では、越流防止板５５は、底面視において、インバート部５１の中央部分に設けられていた。しかし、越流防止板５５におけるインバート部５１の配置位置は特に限定されない。例えば、越流防止板５５は、蓋体２６が第２切替位置Ｂに配置された状態の底面視において、インバート部５１の中央部分よりも第１流出口３３側に設けられていてもよい。このことによって、蓋体２６が第２切替位置Ｂに配置された状態における、インバート部５１の下方の流入口３２側の空間が広くなる。よって、蓋体２６が第２切替位置Ｂに配置されたとき、ます本体２１内に流れる汚水の量が多くなった場合であっても、その汚水を第２流出口３４へ円滑に流すことができる。
【００９９】
上記実施形態では、底面視において、越流防止板５５は、幅方向の中央に向かうに連れて厚みが薄くなっていた。しかし、越流防止板５５の厚みは同一であってもよい。この場合、越流防止板５５は、蓋体２６が第２切替位置Ｂに配置されたときにおいて、幅方向の中央に向かうにつれて、第１流出口３３側に湾曲しているような形状であるとよい。このことによって、蓋体２６が第２切替位置Ｂに配置されたとき、越流防止板５５にぶつかった汚水が第２流出口３４へ円滑に流すことができる。
【０１００】
上記実施形態では、図１４に示すように、底面視において、越流防止板５５の厚み方向Ｌ５５は、インバート部５１の流路方向Ｌ５１と直交していた。越流防止板５５の幅方向とインバート部５１における汚水の流路方向Ｌ５１とが同一の方向になるように、越流防止板５５は蓋体２６のインバート部５１に設けられていた。しかし、越流防止板５５の厚み方向Ｌ５５は、インバート部５１の流路方向Ｌ５１と同一方向となるように、越流防止板５５はインバート部５１に設けられていてもよい。越流防止板５５の幅方向は、インバート部５１における汚水の流路方向Ｌ５１と直交していてもよい。また、越流防止板５５の厚み方向Ｌ５５とインバート部５１の流路方向Ｌ５１とのなす角度が４５度となるように、越流防止板５５はインバート部５１に設けられていてもよい。
【０１０１】
上記実施形態では、越流防止板５５は、蓋体２６のインバート部５１の底部から下方に延びるようにしてインバート部５１に設けられていた。しかし、越流防止板５５とインバート部５１とは互いが独立していてもよい。このとき、例えば、蓋体２６が第２切替位置Ｂに配置されたとき、越流防止板５５は、第１流出口３３を閉塞するようにして、ます本体２１内に取り付けられるようなものであってもよい。
【符号の説明】
【０１０２】
１  排水システム
１１  流入管路
１２  第１流出管路
１３  第２流出管路
２０  排水ます
２１  ます本体
２６  蓋体
３１  点検口
３２  流入口
３３  第１流出口
３４  第２流出口
４１  段差部
４２  支持溝
４５  突起
５１  インバート部
５２  突出部
５３  把持部
５５  越流防止板（越流防止手段）
７０  貯留槽
【図１】
0006348032.tif 000002
【図２】
0006348032.tif 000003
【図３】
0006348032.tif 000004
【図４】
0006348032.tif 000005
【図５】
0006348032.tif 000006
【図６】
0006348032.tif 000007
【図７】
0006348032.tif 000008
【図８】
0006348032.tif 000009
【図９】
0006348032.tif 000010
【図１０】
0006348032.tif 000011
【図１１】
0006348032.tif 000012
【図１２】
0006348032.tif 000013
【図１３】
0006348032.tif 000014
【図１４】
0006348032.tif 000015
【図１５】
0006348032.tif 000016
【図１６】
0006348032.tif 000017
【図１７】
0006348032.tif 000018